(57)【特許請求の範囲】
【請求項１】
上流から流入した排水を貯留する貯留槽と、
前記貯留槽に接続され、前記貯留槽からの前記排水を横方向に排出する横引き管と、
前記横引き管よりも下流側に配置され、前記横引き管からの前記排水を流下させることによりサイホン力を発生させる竪管と、
前記横引き管に設けられ、前記貯留槽の外部と連通しており、空気を前記横引き管の内部に流入可能とすると共に、前記横引き管から前記排水が漏れない長さの給気管と、
を有し、
前記貯留槽の底板は、前記横引き管側へ向けて下がるように傾斜している、サイホン排水システム。
【請求項２】
建築物に鉛直方向に配置され、前記竪管が合流する立て管を備え、
前記給気管は、一端が前記横引き管に連通し、他端が前記立て管に接続される、請求項１に記載のサイホン排水システム。
【請求項３】
前記貯留槽に接続される通気管を備え、
前記給気管は、一端が前記横引き管に連通し、他端が前記通気管に接続されている、請求項１に記載のサイホン排水システム。
【請求項４】
前記横引き管は、貯留槽側の一部分が、排水方向下流側に向けて下方に傾斜する傾斜部分を有しており、
前記給気管は、前記傾斜部分と、前記傾斜部分の下流側と隣接する前記横引き管の水平部分との境界から貯留槽側に設けられている、請求項３に記載のサイホン排水システム。
【請求項５】
前記横引き管と前記給気管とを接続する継手は、遮音材で覆われている、請求項３または請求項４に記載のサイホン排水システム。
【発明の詳細な説明】
【技術分野】
【０００１】
本発明は、排水を一時的に貯留して排出する貯留槽を備えたサイホン排水システムに関する。
【背景技術】
【０００２】
例えば特許文献１に示すように、サイホン排水管のサイホン力を利用した排水システムにおいて、水廻り器具とサイホン排水管の横引き管との間に貯留槽を設け、水廻り器具からの排水をサイホンが開始するまで貯留槽に一時的に貯留する構成（例えば、特許文献１参照）が知られている。
【先行技術文献】
【特許文献】
【０００３】
【特許文献１】特開２０１３−２０９８６８
【発明の概要】
【発明が解決しようとする課題】
【０００４】
特許文献１に示す排水システムでは、例えば、浴槽から排水が行われると、浴槽から排出された排水が貯留槽に流れ込む。貯留槽に流れ込んだ排水は、サイホン排水管の横引き管を流れ、その後、竪管に流れ込む。
【０００５】
サイホン排水管では、竪管が排水で満流になって竪管内を落下しないとサイホン力が発生しないので、サイホン力が発生するまでは、サイホン排水管による排水量が、貯留槽内に流入する排水の排水量よりも小さいため、貯留槽の排水の水位が上昇する。その後、竪管が排水で満流になってサイホン力が発生すると、サイホン排水管による排水量が、貯留槽内に流入する排水の排水量を上回り、排水の水位が低下してゆく。
【０００６】
ところで、サイホン力が発生したサイホン排水管は、貯留槽内の排水を迅速に吸引する、言い換えれば、吸引力が大きいので、ある程度水位が下がると、サイホン排水管の近傍の水面が排水を吸い込んでいるサイホン排水管の近くまで下がり、サイホン排水管が貯留槽内部の空気を吸い込む場合がある。
【０００７】
サイホン排水管が排水と共に貯留槽内部の空気を吸い込むと、ズーズーという異音を発生する場合があり、この異音が貯留槽の空気層で響く。貯留槽の空気層で異音が響くと貯留槽の壁面を振動させ、最終的に貯留槽の外側へ異音が放出される場合がある。
【０００８】
本発明は、上記事実に鑑み、貯留槽の中で騒音が響くことを抑制することを目的とする。
【課題を解決するための手段】
【０００９】
請求項１に記載のサイホン排水システムは、上流から流入した排水を貯留する貯留槽と、前記貯留槽に接続され、前記貯留槽からの前記排水を横方向に排出する横引き管と、前記横引き管よりも下流側に配置され、前記横引き管からの前記排水を流下させることによりサイホン力を発生させる竪管と、前記横引き管に設けられ、前記貯留槽の外部と連通しており、空気を前記横引き管の内部に流入可能とすると共に、前記横引き管から前記排水が漏れない長さの給気管と、を有し、前記貯留槽の底板は、前記横引き管側へ向けて下がるように傾斜している。
【００１０】
請求項１に記載のサイホン排水システムによれば、貯留槽に排水が流入すると一時的に排水が貯留槽内に貯留される。
貯留槽に流入した排水は、横引き管を介して竪管に流れ込み、満流となった排水が竪管内を重力により落下すると、サイホン力が発生する。サイホン力が発生すると、貯留槽内の排水は竪管に向かって吸引され、排水が満流流れとなって流下し、迅速かつ効率的に排水が行われるようになる。
【００１１】
ところで、貯留槽に排水が流入した段階で、未だ竪管内が満流となっていない初期状態では、サイホン力が発生していないため、貯留槽に流れ込む単位時間当たりの排水量に対して、サイホン排水管による単位時間当たりの排水量が少なく、貯留槽において排水の水位が上昇する。
【００１２】
そして、竪管内が満流となってサイホン力が発生すると、横引き管内が負圧となり、貯留槽の排水が吸引されて、貯留槽の排水の水位が下がり始めると共に、給気管を介して横引き管内に空気が流入する。
【００１３】
給気管を介して横引き管内に空気が流入させる場合と、横引き管内に空気を流入させない場合とを比較すると、貯留槽内の排水を吸引する吸引力は後者の方が大きく、吸引力が大きいと、排水の水面を局所的に下げて空気を吸引し、異音を発生する場合がある。
【００１４】
しかしながら、請求項１のサイホン排水システムでは、横引き管が、貯留槽よりも下流側で空気を吸い込むことで、貯留槽内の排水に作用する吸引力を適度に低下させることができるため、貯留槽内において、横引き管の開口部分から空気を吸い込むことが抑えられ、貯留槽内部で異音の発生が抑えられる。
なお、「排水を横方向に排出する横引き管」の「横方向」とは、水平方向に限らず、若干の傾斜（例えば、５度以下）も含むものである。
【００１５】
請求項２に記載の発明は、請求項１に記載のサイホン排水システムにおいて、建築物に鉛直方向に配置され、前記竪管が合流する立て管を備え、前記給気管は、一端が前記横引き管に連通し、他端が前記立て管に接続される。
【００１６】
空気と排水とが混じる際に発生する音が給気管を介して外部に漏れる場合がある。給気管の他端を立て管に接続することで、空気と排水とが混じる際に発生する音は、給気管の内部を通って立て管内に放出され、外部（大気）に放出されないので、貯留槽の外側での騒音レベルを低減することができる。
請求項３に記載の発明は、請求項１に記載のサイホン排水システムにおいて、前記貯留槽に接続される通気管を備え、前記給気管は、一端が前記横引き管に連通し、他端が前記通気管に接続されている。
【００１７】
請求項４に記載の発明は、請求項３に記載のサイホン排水システムにおいて、前記横引き管は、貯留槽側の一部分が、排水方向下流側に向けて下方に傾斜する傾斜部分を有しており、前記給気管は、前記傾斜部分と、前記傾斜部分の下流側と隣接する前記横引き管の水平部分との境界から貯留槽側に設けられている。
【００１８】
貯留槽内の排水が全て排出された後において、横引き管内の排水には竪管のサイホン力が作用するが、横引き管の途中から空気が吸引されると、空気が吸引される位置よりも上流側に残っている排水に対しては、吸引力が弱くなってしまう。空気が吸引される位置よりも上流側の横引き管が水平となっていると、水平部分に残っている排水が弱い吸引力では流れ難く、その結果、排水が水平部分に残りやすい。
【００１９】
一方、請求項４のサイホン排水システムでは、横引き管の給気管との接続部から貯留槽側の部分を、排水方向下流側に向けて下方に向けて傾斜させているので、給気管との接続部から貯留槽側に残っている排水を、排水方向下流側に自重で流すことができ、横引き管の給気管との接続部から貯留槽側の部分に排水を残さないようにできる。
【００２０】
請求項５に記載の発明は、請求項１〜請求項４の何れか１項に記載のサイホン排水システムにおいて、前記横引き管と前記給気管とを接続する継手は、遮音材で覆われている。
【００２１】
請求項５に記載のサイホン排水システムでは、横引き管と給気管とを接続する継手を遮音材で覆っているので、継手が振動して継手から外部へ放出される異音を遮音することができる。
【発明の効果】
【００２２】
本発明のサイホン排水システムによれば、貯留槽の中で騒音が響くことを抑制することができる、という優れた効果を有する。
【図面の簡単な説明】
【００２３】
【図１】本発明の第１の実施形態に係るサイホン排水システムの全体構成を示す側面図である。
【図２】本発明の第１の実施形態に係るサイホン排水システムの貯留槽を示す断面図である。
【図３】比較例に係る貯留槽を示す断面図である。
【図４】本発明の第１の実施形態に係るサイホン排水システムの排水の水位が低下した貯留槽を示す断面図である。
【図５】本発明の第２の実施形態に係るサイホン排水システムの全体構成を示す側面図である。
【図６】本発明の第３の実施形態に係るサイホン排水システムのＴ字型継手付近を示す断面図である。
【図７】本発明の第４の実施形態に係るサイホン排水システムの貯留槽を示す斜視図である。
【発明を実施するための形態】
【００２４】
［第１の実施形態］
本発明の第１の実施形態に係るサイホン排水システム１０について、図１，２，４を用いて説明する。本実施形態に係るサイホン排水システム１０は、サイホン力を利用して水回り器具からの排水を効率よく排出する排水システムである。
【００２５】
図１に示すように、建物１２のスラブ１４の上側には、スラブ１４と間隔を開けて床パネル１６が配置されている。床パネル１６の上には、水廻り器具１７が配置されている。水廻り器具１７は、例えば、浴槽、台所流し、及び食洗機等の排水を流すものであるが、洗面台、浴室防水パン等その他のものであってもよい。
【００２６】
水廻り器具１７には、水廻り器具１７から排出される排水を流す配管１８の一端が接続されている。なお、配管１８は、例えば、塩ビ製の管であるが、他の合成樹脂で形成されていても良い。
【００２７】
（貯留槽）
図２に示すように、スラブ１４の上には、サイホン排水システム１０の一部を構成する貯留槽２０が配置されている。
貯留槽２０は、水廻り器具１７からの排水を一時的に貯留可能とするために箱状に形成されている。貯留槽２０は、略直方体とされ、天板２０Ａ、及び底板２０Ｂが、図面矢印Ｌ方向側に向けて下がるように傾斜している。貯留槽２０は、例えば、塩ビ等の合成樹脂材料で形成されている。
【００２８】
貯留槽２０の図面矢印Ｒ方向側の一方の側壁２０Ｃには、配管１８の他端が接続され、水廻り器具１７からの排水が貯留槽２０の内部に流入するように構成されている。
貯留槽２０の一方の側壁２０Ｃと対向する図面矢印Ｌ方向側の他方の側壁２０Ｄには、下側に配管２２の一端が接続されている。
【００２９】
また、貯留槽２０の天板２０Ａには、通気管２３の一端が接続されている。通気管２３の他端は、後述する合流継手３０（図１参照）を介して立て管２８（図１参照）に接続されている。
なお、配管２２、通気管２３は、例えば、塩ビ製の管であるが、他の合成樹脂で形成されていても良い。
【００３０】
配管２２は、矢印Ｌ方向側に向けて下がるように傾斜している。配管２２の他端側には、Ｔ字型継手２４が配置されている。Ｔ字型継手２４は、配管２２が接続される第１接続部２４Ａ、第１接続部２４Ａの反対側に配置される第２接続部２４Ｂ、第１接続部２４Ａと第２接続部２４Ｂとの間に配置されて、第１接続部２４Ａと第２接続部２４Ｂとを結ぶ方向と直交する上方に向けて延びる第３接続部２４Ｃを備えている。第１接続部２４Ａと第２接続部２４Ｂとは同軸上に設けられており、第１接続部２４Ａと第２接続部２４Ｂの中心線ＣＬは、矢印Ｌ方向側に向けて下がるように傾斜している。なお、第３接続部２４Ｃが、本発明の通気部に相当している。なお、Ｔ字型継手２４は、例えば、塩ビで形成されているが、他の合成樹脂で形成されていても良い。
【００３１】
（サイホン排水管）
Ｔ字型継手２４の第２接続部２４Ｂには、サイホン排水システム１０の一部を構成するサイホン排水管２６の横引き管２６Ａが接続されている。横引き管２６Ａは、Ｔ字型継手２４の近傍の一部分が傾斜しているが、その下流側はスラブ１４の上で横方向に無勾配で配設されている。図１に示すように、横引き管２６Ａの下流側端部には下方向（鉛直方向下向き）に延びる竪管２６Ｂが連続している。
本実施形態のサイホン排水管２６は、ポリブテンで形成されているが、可撓性を有する他の合成樹脂で形成されていてもよい。
【００３２】
なお、本実施形態においては、横引き管２６Ａ、Ｔ字型継手２４の第１接続部２４Ａから第２接続部２４Ｂまでの間、及び配管２２が本発明の横引き管に相当している。
【００３３】
建物１２には、鉛直方向に延びる立て管２８が配設されている。立て管２８には、合流継手３０が取り付けられており、サイホン排水管２６で流された排水は、合流継手３０を介して立て管２８に排出される。
【００３４】
Ｔ字型継手２４の第３接続部２４Ｃには、上方に向けて延びる給気管３２が接続されており、この給気管３２によってＴ字型継手２４の内部が外部と連通している。
（作用、効果）
次に、本実施形態のサイホン排水システム１０の作用、効果を説明する。
水廻り器具１７からの排水が配管１８から排出されると、排水は貯留槽２０に流入する。
【００３５】
貯留槽２０は、底板２０Ｂが、サイホン排水管２６側が、排水の流入する配管１８側よりも下方となるように傾斜しているため、排水は貯留槽２０の中を配管１８側からサイホン排水管２６側へ流れ、かつ、サイホン排水管２６側から溜まり初め、配管１８側よりもサイホン排水管２６側の水深が深くなる。
【００３６】
そして、貯留槽２０に排水が流入して貯留槽２０内の排水の水位が上昇するに伴い、貯留槽２０内の空気は押されて貯留槽２０の天板２０Ａに接続される通気管２３、及び合流継手３０を介して立て管２８に排出される。これにより、貯留槽２０内に迅速、かつ効率的に排水を流入させることができる。
【００３７】
貯留槽２０に流入した排水は、配管２２、Ｔ字型継手２４を介してサイホン排水管２６に流れ込み、満流となった排水が竪管２６Ｂ内を重力により落下すると、サイホン水頭Ｈｓのポテンシャルエネルギ−により、サイホン力が発生する。サイホン力が発生すると、貯留槽内の排水は竪管２６Ｂに向かって吸引され、排水が満流流れとなって流下し、効率的に排水が行われるようになる。
【００３８】
ところで、貯留槽２０に排水が流入した段階で、未だサイホン排水管２６の竪管２６Ｂ内が満流となっていない初期状態では、サイホン力が発生していないため、貯留槽２０に流れ込む単位時間当たりの排水量に対して、サイホン排水管２６による単位時間当たりの排水量が少なく、貯留槽２０において排水の水位が上昇する。
【００３９】
そして、サイホン排水管２６の竪管２６Ｂ内が満流となってサイホン力が発生すると、貯留槽２０の排水が吸引され、貯留槽２０の排水の水位が下がり始める。
【００４０】
ここで、図３を用いて、比較例のサイホン排水システム１００を説明する。なお、本実施形態と同一構成には同一符号を付し、その説明は省略する。図３に示すように、比較例のサイホン排水システム１００では、給気管３２が設けられておらず、サイホン排水管２６の横引き管２６Ａが、貯留槽２０の側壁２０Ｄに直接的に接続されている。
【００４１】
この比較例のサイホン排水システム１００において、貯留槽２０内の排水の水位が横引き管２６Ａの開口部分の高さ近くまで低下すると、サイホン力によるサイホン排水管２６の単位時間当たりの排水吸引量が非常に大きいため、横引き管２６Ａの開口部分近傍の水面が部分的に下がって横引き管２６Ａが貯留槽２０内の空気を吸引して、貯留槽２０内において、例えば、ズーズーという異音Ｎを発生する場合がある。そして、この異音Ｎが貯留槽２０の空気層で響いて貯留槽２０の壁面を振動させ、貯留槽２０の外側へ異音Ｎが放出される場合がある。
【００４２】
一方、本実施形態のサイホン排水システム１０では、図４に示すように、貯留槽２０の排水の水位が下がった場合（比較例と同じ高さ）、竪管２６Ａで発生したサイホン力（吸引力）により第３接続部２４ＣのＴ字型継手２４の内部が負圧となり、給気管３２が床下の空気Ａを吸い込むようになる。サイホン排水管２６が、貯留槽２０よりも下流側で空気Ａ（貯留槽２０の外部の空気）を吸い込むことで、貯留槽２０内の排水に作用する吸引力が適度に低下するため、貯留槽２０内においては、配管２２の開口部分近傍の水面が部分的に下がって貯留槽２０内の空気を吸い込むことが抑えられる。
【００４３】
このため、貯留槽２０内の空気が吸引されることで生じる異音の発生を抑制することができ、貯留槽２０内で異音が響くことがないので、貯留槽２０の壁面が振動して貯留槽２０の外側へ異音が放出することも抑制される。このようにして、本実施形態のサイホン排水システム１０では、室内環境に対して排水時の騒音が伝播することが抑制される。
【００４４】
なお、給気管３２を介してサイホン排水管２６が空気Ａを吸引する際に、Ｔ字型継手２４の内部で排水に空気が混じることで異音を発生し、給気管３２の内部を通過した異音が給気管３２の外部へ放出される場合がある。しかしながら、Ｔ字型継手２４の内部で発生する異音のレベルは、比較例のように貯留槽２０内で響く異音に比較して非常に小さい。さらに、Ｔ字型継手２４の内部で発生する異音は、配管２２の内部に満流となっている排水に遮断されて貯留槽２０内の空気層に伝播しないので、貯留槽２０の中の空気層において、Ｔ字型継手２４の内部で発生した異音が響くことはない。
【００４５】
図２に示すように、給気管３２から吸引された空気が排水と接する部分Ｐ、言い換えれば、第１接続部２４Ａと第２接続部２４Ｂの中心線ＣＬと第２接続部２４Ｃの中心線との交点から貯留槽２０の内面までの距離ＤＬは、排水時に、上記部分Ｐと貯留槽２０との間の排水経路が排水で満流となるように設定すればよく、距離ＤＬが短くなるように配管２２を廃止してＴ字型継手２４を貯留槽２０に直接接続してもよく、距離ＤＬが長くなるように図２よりも配管２２を長くしても良い。言い換えれば、貯留槽２０から排水を排出する際に、貯留槽２０内で響く異音の発生原因である貯留槽２０内の空気の吸い込みを抑制するように距離ＤＬを設定すれば良い。
【００４６】
ところで、貯留槽２０内の排水が全て排出された後においても、竪管２６Ｂ内の排水が落下し終えるまでは、横引き管２６Ａ内に残っている排水に対しては竪管２６Ｂのサイホン力が作用する。しかしながら、貯留槽２０の下流側の排水経路の途中で空気が吸引されると、空気が吸引される位置よりも上流側の排水経路に残っている排水に対しては、吸引力が弱くなってしまう。したがって、空気が吸引される位置よりも上流側の排水経路が水平となっていると、水平部分に残っている排水が弱い吸引力では下流側に流れ難く、その結果、排水が水平部分に残りやすい状況となる。
【００４７】
本実施形態のサイホン排水システム１０では、給気管３２から吸引された空気が排水と接する部分Ｐから貯留槽２０側の排水経路を、排水方向下流側に向けて傾斜させているので、給気管３２から吸引された空気が排水と接する部分Ｐから貯留槽２０側の排水経路に残っている排水を、排水方向下流側に向けて自重で流して、該部分Ｐから貯留槽２０側の部分に排水を残さないようにできる。
【００４８】
なお、吸引した空気が排水と接する部分Ｐは、本実施形態のように排水経路の傾斜している部分、または、横引き管２６Ａの傾斜部分２６Ａａと水平部分２６Ａｂとの境界ＳＰ、言い換えれば、水平部分２６ｂの上流側端部に設けることが好ましい。
【００４９】
給気管３２の長さに特に制限はないが、排水が外部に漏れなければ給気管３２は無くてもよい。
【００５０】
［第２の実施形態］
本発明の第２の実施形態に係るサイホン排水システム１０について、図５を用いて説明する。なお、第１の実施形態と同一構成には同一符号を付し、その説明は省略する。
【００５１】
図５に示すように、本実施形態に係るサイホン排水システム１０では、Ｔ字型継手２４に接続された給気管３２が第１の実施形態よりも長く形成されており、給気管３２の端部が合流継手３０に接続されているものである。本実施形態では、給気管３２が立て管２８内の空気を吸引する。
【００５２】
本実施形態に係るサイホン排水システム１０では、Ｔ字型継手２４の内部で発生した異音は、給気管３２の内部を通って立て管２８の内部に放出されるので、室内へ伝播することは抑えられる。
【００５３】
［第３の実施形態］
本発明の第３の実施形態に係るサイホン排水システム１０について、図６を用いて説明する。なお、第１の実施形態と同一構成には同一符号を付し、その説明は省略する。
【００５４】
図６に示すように、本実施形態に係るサイホン排水システム１０では、Ｔ字型継手２４が遮音材３４で覆われている。
遮音材３４は、例えば、Ｔ字型継手２４と接する側がウレタンやポリエチレン等の多孔質（スポンジ状）のクッション材３６で形成され、Ｔ字型継手２４と反対側が空隙を有していないゴム等の弾性体３８で形成されているシート状、あるいは帯状のものを用いることができる。なお、遮音材３４は、本実施形態の構造のものに限らず、音を遮音可能なものであれば、公知の市販されている遮音材を用いることができる。
【００５５】
Ｔ字型継手２４の内部で発生した異音（空気の振動）が、第３接続部２４Ｃを通過する際に、第３接続部２４Ｃを振動させ、第３接続部２４Ｃが振動することで、第３接続部２４Ｃから外側へ向けて異音が放出される場合がある。しかしながら、本実施形態のＴ字型継手２４は、第３接続部２４ＣのみならずＴ字型継手２４全体が遮音材３４で覆われているので、Ｔ字型継手２４から放出される異音を遮音材３４で遮音し、Ｔ字型継手２４から放出される異音の床下内への放出を抑えることができる。
なお、給気管３２、配管２２、横引き管２６Ａが振動する場合には、必要に応じて給気管３２、配管２２、横引き管２６Ａを遮音材３４で覆うようにしてもよい。また、Ｔ字型継手２４、給気管３２、配管２２が振動し難いように、これらを樹脂製から金属製に変更してもよい。  
【００５６】
［第４の実施形態］
本発明の第４の実施形態に係るサイホン排水システム１０について、図７を用いて説明する。なお、第１の実施形態と同一構成には同一符号を付し、その説明は省略する。
本実施形態の貯留槽２０は、２枚の仕切り壁４０で内部が実質的に３室に分割されている。なお、各室は、上部が連通している。貯留槽２０には、各室に対応して、水廻り器具１７Ａ，１７Ｂ，１７Ｃが、各々配管１８を介して接続されると共に、配管２２、Ｔ字型継手２４を介してサイホン排水管２６が接続されている。
本実施形態の貯留槽２０においては、内部を３室に区画していたが、区画数は適宜増減できる。
【００５７】
［その他の実施形態］
なお、本発明について実施形態の一例を説明したが、本発明はかかる実施形態に限定されるものではなく、本発明の範囲内にて他の種々の実施形態が可能である。
【００５８】
上記実施形態では、サイホン排水管２６の横引き管２６Ａを、Ｔ字型継手２４、及び配管２２を介して貯留槽２０に接続したが、横引き管２６Ａの端部を貯留槽２０に直接接続
してもよい。この場合、横引き管２６Ａに孔を加工し、加工した孔に給気管３２を接続してもよい。
【００５９】
上記貯留槽２０は、矩形の箱形状であったが、貯留槽２０は矩形の箱形状に限らず、両端部が閉塞された断面円形の筒形状等、他の形状であってもよい。
【００６０】
第２の実施形態では、給気管３２の端部を合流継手３０に接続したが、給気管３２の端部を通気管２３に接続してもよい。本実施形態においても、給気管３２は通気管２３を介して立て管８内の空気を吸引することができる。
【符号の説明】
【００６１】
１０…サイホン排水システム、１２…建物（建築物）、２０…貯留槽、２６Ａ…横引き管、２６Ａａ…傾斜部分、２６Ａｂ…水平部分、２６Ｂ…竪管、２４Ｃ…第３接続部（通気部）、２８…立て管、３２…給気管、３４…遮音材
【図１】
0006788994.tif 000002
【図２】
0006788994.tif 000003
【図３】
0006788994.tif 000004
【図４】
0006788994.tif 000005
【図５】
0006788994.tif 000006
【図６】
0006788994.tif 000007
【図７】
0006788994.tif 000008